(57)【要約】【課題】  相互機器認証機構を有するコンピュータシステムにおいては、PC及び、PC周辺機器の相互機器認証後には、PC及び、PC周辺機器を別のPC、又は、PC周辺機器と入れ替える事ができない。【解決手段】  PC及び、PC周辺機器の相互機器認証の解除手段を、アプリケーションソフトウェアの削除と同期させて行い、相互機器認証が解除された場合に限り、新しく、PC及び、PC周辺機器の相互機器認証が可能となる。【選択図】図１
2008225713.tif 000002
【特許請求の範囲】
【請求項１】
双方向通信インターフェース及び、書き換え可能な情報保持部を持つ汎用ハードウェアと、汎用ハードウェアを制御する汎用ソフトウェアと、専用アプリケーションソフトウェアからなるコンピュータ機器と、
双方向通信インターフェース及び、書き換え可能な情報保持部を持つ専用ハードウェアと、専用ハードウェアを制御する専用ソフトウェアからなり、前記コンピュータ機器と前記インターフェースを介して接続可能であるコンピュータ周辺機器とよりなるコンピュータシステムにおいて、前記コンピュータ周辺機器は、前記コンピュータからの命令を前記インターフェースを介して受け取り、前記命令に従い動作し、
前記コンピュータ機器は、前記コンピュータ周辺機器から、動作結果及び、要求された情報を前記インターフェースを介して取得する機能を有し、
前記コンピュータ機器は、前記コンピュータ周辺機器の機器固有情報を第１の情報保持部に保持し、
前記コンピュータ周辺機器は、前記コンピュータ機器の機器固有情報を第２の情報保持部に保持し、
前記コンピュータ機器は、前記専用アプリケーションソフトウェアが実行されることにより、前記インターフェースを介して、前記コンピュータ周辺機器の機器固有情報を取得し、前記第１の情報保持部に保持している情報との合致を前記専用アプリケーションソフトウェアにより行い、
前記コンピュータ周辺機器は、前記インターフェースを介して、前記コンピュータ機器の機器固有情報を取得し、前記第２の情報保持部に保持している情報との合致を前記専用ソフトウェアにより行い、
前記コンピュータ機器及び前記コンピュータ周辺機器における保持している情報との合致が正しく行えた場合には、継続して前記アプリケーションソフトウェアが実行され、
かつ、前記第１の情報保持部に保持されている前記コンピュータ周辺機器の機器固有情報、または前記第２の情報保持部に保持されている前記コンピュータ機器の機器固有情報が、繰り返し書き換え可能であることを特徴とするコンピュータシステム。
【請求項２】
請求項１に記載のコンピュータシステムにおいて、
前記コンピュータ機器は、前記専用アプリケーションソフトウェアを削除する手段を持ち、
前記専用アプリケーションソフトウェアを削除操作した際には、前記第１の情報保持部に保持している前記コンピュータ周辺機器の機器固有情報を削除すると共に、前記インターフェースを介して、前記コンピュータ周辺機器が前記第２の情報保持部に保持している前記コンピュータ機器の機器固有情報を削除させることを特徴とするコンピュータシステム。
【請求項３】
請求項１、又は請求項２に記載のコンピュータシステムにおいて、
前記コンピュータ機器は、前記コンピュータ周辺機器において受信された情報を前記インターフェースを介して受け取り記録する記録機能を有し、
前記コンピュータ機器は、第１の記録タイトル情報保持部を備え、
前記コンピュータ周辺機器は、第２の記録タイトル情報保持部を備え、
前記コンピュータ機器は、記録に際して、記録タイトル情報を前記第１の記録タイトル情報保持部に保持すると共に、前記インターフェースを介して、前記記録タイトル情報を、前記コンピュータ周辺機器の前記第２の記録タイトル情報保持部に保持させ、
前記専用アプリケーションソフトウェアを削除操作した際には、前記コンピュータ機器の前記第１の記録タイトル情報保持部から前記記録タイトル情報を削除すると共に、前記インターフェースを介して、前記コンピュータ周辺機器の前記第２の記録タイトル情報保持部から前記記録タイトル情報を削除させることを特徴とするコンピュータシステム。
【請求項４】
請求項１、又は請求項２に記載のコンピュータシステムにおいて、
前記コンピュータ周辺機器は、前記第２の情報保持部に保持される前記コンピュータ機器の機器固有情報の、繰り返し書き換え可能な回数に上限値を持ち、前記コンピュータ機器の前記専用アプリケーションソフトウェア又は、別のアプリケーションソフトウェアが、前記インターフェースを介して、前記コンピュータ周辺機器の前記第２の情報保持部の情報を取得する事で、前記コンピュータ周辺機器の前記第２の情報保持部のコンピュータ機器固有情報の書き換え回数又は、残りの書き換え回数を表示する手段を有することを特徴とするコンピュータシステム。
【請求項５】
請求項２に記載のコンピュータシステムにおいて、
前記専用アプリケーションソフトウェアを削除操作した際には、前記コンピュータ機器が前記第１の情報保持部に保持している前記コンピュータ周辺機器の機器固有情報または前記コンピュータ周辺機器が前記第２の情報保持部に保持している前記コンピュータ機器の機器固有情報を削除するか否かを選択できることことを特徴とするコンピュータシステム。
【請求項６】
請求項２に記載のコンピュータシステムにおいて、
前記専用アプリケーションソフトウェアを削除操作した後に、前記専用アプリケーションソフトウェアを新たに別のコンピュータ機器に組み込む時、又は、前記専用アプリケーションソフトウェアを最初に実行した時に、前記コンピュータ機器が、前記インターフェースを介して、前記コンピュータ周辺機器の機器固有情報を取得し、前記コンピュータ機器の前記第１の情報保持部に保持すると共に、前記コンピュータ周辺機器は、前記インターフェースを介して前記コンピュータ機器の機器固有情報を取得し、前記コンピュータ周辺機器の前記第２の情報保持部に保持することを特徴とするコンピュータシステム。
【請求項７】
双方向通信インターフェース及び、書き換え可能な情報保持部を持つ汎用ハードウェアと、汎用ハードウェアを制御する汎用ソフトウェアからなるコンピュータ機器に実装するための専用アプリケーションソフトウェアと、
双方向通信インターフェース及び、書き換え可能な情報保持部を持つ専用ハードウェアと、専用ハードウェアを制御する専用ソフトウェアからなり、前記コンピュータ機器と前記インターフェースを介して接続可能であるコンピュータ周辺機器とよりなるコンピュータシステムにおいて、
前記コンピュータ周辺機器は、前記コンピュータに実装された前記専用アプリケーションソフトウェアからの命令を前記インターフェースを介して受け取り、前記命令に従い動作し、
前記専用アプリケーションソフトウェアは、前記コンピュータ周辺機器から、動作結果及び、要求された情報を前記インターフェースを介して、取得する機能を有し、
前記専用アプリケーションソフトウェアは、前記コンピュータ周辺機器の機器固有情報を前記コンピュータ機器上の第１の前記情報保持部に保持し、
前記コンピュータ周辺機は、前記コンピュータ機器の機器固有情報を前記コンピュータ周辺機器の前記第２の情報保持部に保持し、
前記専用アプリケーションソフトウェアは、前記インターフェースを介して、前記コンピュータ周辺機器の機器固有情報を取得し、前記コンピュータ機器の前記第１の情報保持部に保持している情報との合致を行い、
前記コンピュータ周辺機器は、前記インターフェースを介して、前記コンピュータ機器の機器固有情報を取得し、前記第２の情報保持部に保持している情報との合致を前記専用ソフトウェアにより行い、
前記専用アプリケーションソフトウェア及び、前記コンピュータ周辺機器における保持している情報との合致が正しく行えた場合には、継続して前記専用アプリケーションソフトウェアが実行され、
かつ前記第１の情報保持部に保持されている前記コンピュータ周辺機器の機器固有情報、または前記第２の情報保持部に保持されている前記コンピュータ機器の機器固有情報が、繰り返し書き換え可能であることを特徴とするコンピュータシステム。
【請求項８】
請求項７に記載のコンピュータシステムにおいて、
前記コンピュータ機器は、前記専用アプリケーションソフトウェアを削除する手段を持ち、
前記専用アプリケーションソフトウェアを削除操作した際には、前記第１の情報保持部に保持している前記コンピュータ周辺機器の機器固有情報を削除すると共に、前記インターフェースを介して、前記コンピュータ周辺機器が前記第２の情報保持部に保持している前記コンピュータ機器の機器固有情報を削除させることを特徴とするコンピュータシステム。
【請求項９】
請求項７、又は請求項８に記載のコンピュータシステムにおいて、
前記専用アプリケーションソフトウェアは、前記コンピュータ周辺機器において受信された情報を前記インターフェースを介して受け取り記録する記録機能を有し、
前記コンピュータ機器は、第１の記録タイトル情報保持部を備え、
前記コンピュータ周辺機器は、第２の記録タイトル情報保持部を備え、
前記専用アプリケーションソフトウェアは、記録に際して、記録タイトル情報を前記第１の記録タイトル情報保持部に保持すると共に、前記インターフェースを介して、前記記録タイトル情報を、前記コンピュータ周辺機器の前記第２の記録タイトル情報保持部に保持させ、
前記専用アプリケーションソフトウェアを削除操作した際には、前記コンピュータ機器の前記第１の記録タイトル情報保持部から前記記録タイトル情報を削除すると共に、前記インターフェースを介して、前記コンピュータ周辺機器の前記第２の記録タイトル情報保持部から前記記録タイトル情報を削除させる事を特徴とするコンピュータシステム。
【請求項１０】
請求項７、又は請求項８に記載のコンピュータシステムにおいて、
前記コンピュータ周辺機器は、前記第２の情報保持部に保持される前記コンピュータ機器の機器固有情報の、繰り返し書き換え可能な回数に上限値を持ち、前記専用アプリケーション又は、別のアプリケーションソフトウェアが、前記インターフェースを介して、前記コンピュータ周辺機器の前記第２の情報保持部の情報を取得する事で、前記コンピュータ周辺機器の前記第２の情報保持部のコンピュータ機器固有情報の書き換え回数又は、残りの書き換え回数を表示する手段を有することを特徴とするコンピュータシステム。
【請求項１１】
請求項８に記載のコンピュータシステムにおいて、
前記専用アプリケーションソフトウェアを削除操作した際に、前記コンピュータ機器が前記第１の情報保持部に保持している前記コンピュータ周辺機器の機器固有情報または、前記コンピュータ周辺機器が前記第２の情報保持部に保持している前記コンピュータ機器の機器固有情報を削除するか否かを選択できることを特徴とするコンピュータシステム。
【請求項１２】
請求項８に記載のコンピュータシステムにおいて、
前記専用アプリケーションソフトウェアを削除操作した後に、前記専用アプリケーションソフトウェアを新たに別のコンピュータ機器に組み込む時、又は、前記コンピュータ機器に組み込まれた前記専用アプリケーションソフトウェアを最初に実行した時に、前記専用アプリケーションソフトウェアが、前記インターフェースを介して、前記コンピュータ周辺機器の機器固有情報を取得し、前記コンピュータ機器の前記第１の情報保持部に保持すると共に、前記コンピュータ周辺機器は、前記インターフェースを介して、前記コンピュータ機器の機器固有情報を取得し、前記コンピュータ周辺機器の前記第２の情報保持部に保持することを特徴とするコンピュータシステム。
【請求項１３】
請求項１または３に記載のコンピュータシステムにおいて、
前記コンピュータ周辺機器は、デジタル放送信号の受信機能を有し、
前記コンピュータ機器は、前記コンピュータ周辺機器より前記インターフェースを介して前記デジタル放送信号を受け取り、表示または記録を行なうことを特徴とするコンピュータシステム
【請求項１４】
請求項１３に記載のコンピュータシステムにおいて、
前記デジタル放送信号の受信機能は、スクランブルされて伝送されたデジタル放送信号を受信する機能を有することを特徴とするコンピュータシステム。
【請求項１５】
請求項７または９に記載のコンピュータシステムにおいて、
前記コンピュータ周辺機器は、デジタル放送信号の受信機能を有し、
前記専用アプリケーションソフトウェアは、前記コンピュータ周辺機器より前記インターフェースを介して前記デジタル放送信号を受け取り、前記コンピュータ機器で表示または記録を行なう機能を有することを特徴とするコンピュータシステム。
【請求項１６】
請求項１５に記載のコンピュータシステムにおいて、
前記デジタル放送信号の受信機能は、スクランブルされて伝送されたデジタル放送信号を受信する機能を有することを特徴とするコンピュータシステム。
【発明の詳細な説明】
【技術分野】
【０００１】
本発明は、コンピュータ機器（以下、PCと呼ぶ）と、コンピュータ周辺機器（以下、PC周辺機器と呼ぶ）の動作制御に関するものであり、特にPC及び、PC周辺機器との間で相互機器認証（以下、ペアリングと呼ぶ）を行い、ペアリングされた機器以外では、動作しないように構成されたコンピュータシステムに関するものである。
【背景技術】
【０００２】
近年、デジタル放送の普及により、テレビ、レコーダ機器に加え、パーソナルコンピュータのような汎用的なコンピュータシステムでも、デジタル放送受信ができる製品が開発されている。例えば、特許文献１などに記載されているようなUSB接続の外付けのＴＶ放送受信装置を接続してＴＶ放送を受信していた。
【０００３】
【特許文献１】特開２００６−７４７０９号公報
【発明の開示】
【発明が解決しようとする課題】
【０００４】
このようなPCでデジタル放送受信機を製品化する場合において、PC及び、PC周辺機器の組み合わせでデジタル放送受信機を構成するには、一般にペアリングを行った、特定のPCと特定のPC周辺機器が１対１の組み合わせのみで動作する必要がある。しかし、特定のPCと特定のPC周辺機器を一度ペアリングすると、ペアリングを解除行わない限り、そのPC周辺機器を他のPCに接続、動作させることできない様にしていた。
【０００５】
また、一般に、PC機器でデジタル放送を受信機を構成する場合でも、その実装方法については、テレビやレコーダ機器と同様に、デジタル放送受信機の実装規約（例えば、国内であれば、ARIB：「電波産業界」の標準技術、ガイドライン）に従う必要がある。
【０００６】
この為、PC及び、PC周辺機器の組み合わせでデジタル放送対応テレビを構成する場合、その実現手段によりPC及び、PC周辺機器間でのペアリングが必要な場合がある。
【０００７】
ところが、PC及び、PC周辺機器は汎用機器である為、PCが故障した場合や、PCを新規の入手した場合に、古い方のPC及び、PC周辺機器のペアリングを解除し、新しい方のPC及び、PC周辺機器での再ペアリングを設定したい要求が容易に想像され、このペアリングの解除方式が課題となる。
【０００８】
本発明では、PC及び、PC周辺機器のペアリングを解除又は、再ペアリングの設定を容易に行えるようにすることを目的とする。
【課題を解決するための手段】
【０００９】
本発明によるコンピュータシステムでは、PC及び、PC周辺機器のペアリングを解除処理を、アプリケーションソフトウェアの削除と同期させて行うようにする。
【００１０】
また、PC及び、PC周辺機器の双方がペアリングされていない状態の場合は、アプリケーションソフトウェアの組込み時、又は、アプリケーションソフトウェアの実行時にペアリング動作が行われるようにする。
【発明の効果】
【００１１】
本発明によるコンピュータシステムでは、PC及び、PC周辺機器のペアリングを解除する際に、効率的かつ、デジタル放送受信機の実装規約に妥当な範囲で、機能するようにする。
【００１２】
また、上記のPC及び、PC周辺機器のペアリングを解除が正しく行われた場合に限り、新しい組み合わせのPC及び、PC周辺機器が、正しくペアリングの設定動作が行われるようにする。
【００１３】
これにより、ユーザは、PC及び、PC周辺機器のペアリング動作自体について意識せずに機器を利用する事ができる一方、PC及び、PC周辺機器の組み合わせでデジタル放送対応テレビをつくる場合に必要となる、特定のPCと特定のPC周辺機器が１対１の組み合わせのみでの動作を保障する事ができる。
【発明を実施するための最良の形態】
【００１４】
以下、本発明の実施の形態を図面に基づいて詳細に説明する。
【実施例１】
【００１５】
図１は発明の技術による実施例の形態１である。
図１のコンピュータシステムにおいて、１のPCは、４の専用アプリケーションソフトウェア（例えば、デジタル放送受信用アプリケーションソフトウェア）、５の汎用ソフトウェア（例えば、Windows（登録商標）のような汎用ライブラリィ、ドライバを含むOSソフトウェア）、６の汎用ハードウェア（例えば、PC用マザーボードやドライブ装置等の周辺機器）、７の周辺機器固有情報保持部（不揮発性メモリ）から、２のPC周辺機器は、８の専用ソフトウェア（例えば、デジタル放送受信用ファームウェア）、９の専用ハードウェア（デジタル放送受信用ハードウェア）、１０のコンピュータ固有情報保持部（不揮発性メモリ）から、構成されており、１のPCと、２のPC周辺機器は、３の双方向インターフェース（例えば、USB（Universal Serial Bus））で接続されている。
【００１６】
一般に、１のPC内では、４の専用アプリケーションソフトウェアの制御により、５の汎用ソフトウェア、６の汎用ハードウェアが動作し、３の双方向インターフェースを介して、２のPC周辺機器を制御するようになっている。一方、２のPC周辺機器内では、８の専用ソフトウェアの制御により、９の専用ハードウェアが動作しており、３の双方向インターフェースからの命令を受け、８の専用ソフトウェアにより判断、９の専用ハードウェアを制御し、必要な情報を３の双方向インターフェースに出力する事で、必要な情報を１のPCに返す仕組みになっている。これらの処理により、デジタル放送番組の受信（視聴）のような特定の機器動作ができるよう構成している。
【００１７】
また、ペアリング機能を持つシステムの場合は、上記の一般的な動作を行う前に、１のPCでは、３の双方向インターフェースにより接続されている２のPC周辺機器から得られる周辺機器固有情報が、７の周辺機器固有情報保持部に持っている情報（例えば、８の専用ソフトウェア又は、９の専用ハードウェアから生成され、予め保持されている固有情報）と合致しているかどうか、及び、２のPC周辺機器では、３の双方向インターフェースを介して入力された１のPCから得られるコンピュータ固有情報が、１０のコンピュータ固有情報保持部に持っている情報（例えば、４の専用アプリケーションソフトウェア又は、６の汎用ハードウェアから生成され、予め保持されている固有情報）と合致しているかどうかを、１のPC側、２のPC周辺機器側でそれぞれ確認し、双方が合致している時に限り、上記のデジタル放送番組の受信（視聴）といった一般的な動作を行うように動作する。
【００１８】
本発明による技術では、１のPC及び、２のPC周辺機器において、７の周辺機器固有情報保持部及び、１０のコンピュータ固有情報保持部の情報を削除、つまりペアリングの解除処理を、１のPC及び、２のPC周辺機器が３の双方向インターフェースで正しく接続された状態で、４の専用アプリケーションソフトウェアの削除（アンインストール）される処理の中で、実行されるようにする。
【００１９】
具体的には、４の専用アプリケーションソフトウェアの削除が行われた場合、７の周辺機器固有情報保持部の参照するデータを削除すると共に、３の双方向インターフェースを介して、２のPC周辺機器に対し、１０のコンピュータ固有情報保持部の参照データを削除、又は、参照データの参照アドレスを、コンピュータ固有情報が未だ記録されていない領域に変更した後、４の専用アプリケーションソフトウェア自体が、削除されるようにする。
【００２０】
また、上記の場合において、３の双方向インターフェースが接続されていなような場合や接続の障害を想定して、４の専用アプリケーションソフトウェアの削除の際に、３の双方向インターフェースが正しく動作しない場合には、１のPC及び、２のPC周辺機器における、７の周辺機器固有情報保持部及び、１０のコンピュータ固有情報保持部の情報を削除、つまりペアリングの解除処理を実行しないようにする方が好ましい。
【実施例２】
【００２１】
図２は発明の技術による実施例の形態２である。
図２のコンピュータシステムにおいて、１のPCは、４の専用アプリケーションソフトウェア（例えば、デジタル放送受信用アプリケーションソフトウェア）、５の汎用ソフトウェア（例えば、Windows（登録商標）のような汎用ライブラリィ、ドライバを含むOSソフトウェア）、６の汎用ハードウェア（例えば、PC用マザーボードやドライブ装置等の周辺機器）、７の周辺機器固有情報保持部（不揮発性メモリ）、１１の記録タイトル情報保持部（不揮発性メモリ）、１２の記録タイトル保持部（不揮発性メモリ）から、２のPC周辺機器は、８の専用ソフトウェア（例えば、デジタル放送受信用ファームウェア）、９の専用ハードウェア（デジタル放送受信用ハードウェア）、１０のコンピュータ固有情報保持部（不揮発性メモリ）、１３の記録タイトル情報保持部（不揮発性メモリ）から、構成されており、１のPCと、２のPC周辺機器は、３の双方向インターフェース（例えば、USB（Universal Serial Bus））で接続されている。
【００２２】
図２では、先の図１のシステムに対して、１のPCには、１１の記録タイトル情報保持部１、１２の記録タイトル保持部が、２のPC周辺機器には、１３の記録タイトル情報保持部２を追加し、デジタル放送番組の受信に加え、記録・再生ができるよう構成したものである。
【００２３】
デジタル放送番組の受信（視聴）の場合には、図１の実施例と同様の動作を行うものである。
【００２４】
デジタル放送番組の録画の場合には、１のPCは、４の専用アプリケーションソフトウェアにより、５の汎用ソフトウェア、６の汎用ハードウェアを介して、３の双方向インターフェースにアクセスし、２のPC周辺機器に対して、記録タイトル及び、記録タイトル情報を要求し、これに対して、２のPC周辺機器は、８の専用ソフトウェア、９の専用ハードウェアの動作により、要求された情報を３の双方向インターフェースに出力するように動作し、１のPCでは、３の双方向インターフェースを介して得られた情報をそれぞれ、１１の記録タイトル情報保持部１及び１２の記録タイトル保持部に記録すると同時に、２のPC周辺機器内の１３の記録タイトル情報保持部２にも情報を記録する。
【００２５】
デジタル放送番組の再生の場合には、１のPCは、４の専用アプリケーションソフトウェアにより、１１の記録タイトル情報保持部１から記録タイトルの番組情報を取得表示し、再生可能な記録タイトルを表示すると共に、再生する記録タイトルの情報を取得し、対応した記録タイトルを、１２の記録タイトル保持部から取り出し、再生・表示を行うよう動作するが、この際、３の双方向インターフェースを介して、２のPC周辺機器内の１３の記録タイトル情報保持部２からも情報を取得し、記録タイトル情報の確認動作も合せて行い、正しく記録タイトル情報が合致した場合のみ、再生動作が実行されるようにする。
【００２６】
また、デジタル放送番組の削除の場合には、１のPCは、４の専用アプリケーションソフトウェアにより、１１の記録タイトル情報保持部１から記録タイトルの番組情報を取得表示し、削除可能な記録タイトルを表示すると共に、削除する記録タイトルの情報を削除し、対応した記録タイトルを、１２の記録タイトル保持部から、削除するよう動作するが、この際、３の双方向インターフェースを介して、２のPC周辺機器内の１３の記録タイトル情報保持部２からも、記録タイトル情報の削除を合せて行うようにする。
【００２７】
これにより、１のPCと２のPC周辺機器が、３の双方向インターフェースで正しく接続されていない場合でのデジタル放送受信機（記録機器）としての動作を制限すると共に、記録タイトル情報の整合性を保つ事ができる。
【００２８】
これは、例えば、１のPC内の１２の記録タイトルを別の記録メディア（例えばDVDディスク）に移動（ムーブ）する際に、予め、１２の記録タイトル保持部や、１１の記録タイトル情報保持部１を複製しておき、DVDへの移動処理後に、複製しておいた１２の記録タイトル保持部や、１１の記録タイトル情報保持部１を１のPCに接続し直す事で、不正にDVDへの移動処理を行おうとする場合、２のPC周辺機器内の１３の記録タイトル情報保持部２からは、既に該当する記録タイトル情報が削除されており、正しく記録タイトル情報が合致しない事を検出し、中断処理を行う事ができるようになる。
【００２９】
一方、１のPC内の１２の記録タイトルを別の記録メディア（例えばDVDディスク）に移動（ムーブ）する機能を持たない場合は、２のPC周辺機器内の１３の記録タイトル情報保持部２を持たない構成し、１のPCの、４の専用アプリケーションソフトウェアが、１１の記録タイトル情報保持部１のみを用いる構成としても良い。
【００３０】
本発明による技術では、１のPC及び、２のPC周辺機器において、７の周辺機器固有情報保持部及び、１０のコンピュータ固有情報保持部の情報を削除、つまりペアリングの解除処理と同期して、１１の記録タイトル情報保持部１、１２の記録タイトル保持部、１３の記録タイトル情報保持部２の各情報の削除処理を行い、１のPC及び、２のPC周辺機器が３の双方向インターフェースで正しく接続された状態で、４の専用アプリケーションソフトウェアの削除（アンインストール）される処理の中で、実行されるようにする。
【００３１】
具体的には、４の専用アプリケーションソフトウェアの削除が行われた場合、７の周辺機器固有情報保持部の参照するデータを削除、１１の記録タイトル情報保持部１の参照するデータを削除、１２の記録タイトル保持部の参照するデータを削除と共に、３の双方向インターフェースを介して、２のPC周辺機器に対し、１０のコンピュータ固有情報保持部の参照データを削除、又は、参照データの参照アドレスを、コンピュータ固有情報が未だ記録されていない領域に変更、更に１３の記録タイトル情報保持部２の参照するデータを削除した後、４の専用アプリケーションソフトウェア自体が、削除されるようにする。
【００３２】
また、上記の場合において、３の双方向インターフェースが接続されていなような場合や接続の障害を想定して、４の専用アプリケーションソフトウェアの削除の際に、３の双方向インターフェースが正しく動作しない場合には、１のPC及び、２のPC周辺機器における、７の周辺機器固有情報保持部及び、１０のコンピュータ固有情報保持部の情報の削除、つまりペアリングの解除処理や、１１の記録タイトル情報保持部１、１２の記録タイトル保持部の情報、及び、１３の記録タイトル情報保持部２の削除、つまり記録タイトルに関する情報の削除処理を実行しないようにする方が好ましい。
【実施例３】
【００３３】
図３は発明の技術による実施例の形態３である。
図３のコンピュータシステムにおいて、１のPCは、４の専用アプリケーションソフトウェア（例えば、デジタル放送受信用アプリケーションソフトウェア）、５の汎用ソフトウェア（例えば、Windows（登録商標）のような汎用ライブラリィ、ドライバを含むOSソフトウェア）、６の汎用ハードウェア（例えば、PC用マザーボードやドライブ装置等の周辺機器）、７の周辺機器固有情報保持部（不揮発性メモリ）、１４の表示装置（モニタ）から、２のPC周辺機器は、８の専用ソフトウェア（例えば、デジタル放送受信用ファームウェア）、９の専用ハードウェア（デジタル放送受信用ハードウェア）、１０のコンピュータ固有情報保持部（不揮発性メモリ）、１５のアンテナ、１６のチューナ（チューナユニット）、１７のＣＡＳカード（限定受信システム用カード）から、構成されており、１のPCと、２のPC周辺機器は、３の双方向インターフェース（例えば、USB（Universal Serial Bus））で接続されている。
【００３４】
図３は、図１のシステムを限定受信を含むデジタル放送受信機として構成した場合を示している。構成要素の差異は、１のＰＣに、１４の表示装置とのインターフェースを備えている点、２のＰＣ周辺機器に、１５のアンテナ、１６のチューナ、１７のＣＡＳカードを備えている点である。
【００３５】
図３において、１４の表示装置に６の汎用ハードウェアを介して、デジタル放送受信画像を出力する点、並びに１５のアンテナ、１６のチューナによりデジタル放送波を受信、検波、復号後、その出力を９の専用ハードウェアに入力し、９の専用ハードウェアでデジタル放送波のスクランブル信号の復号の際に１７のＣＡＳカードを用いる点、以外の動作は、図１の実施例の説明と同様であるので、ここでは説明を省略する。
【実施例４】
【００３６】
図４は発明の技術による実施例の形態４である。
図４のコンピュータシステムにおいて、１のPCは、４の専用アプリケーションソフトウェア（例えば、デジタル放送受信用アプリケーションソフトウェア）、５の汎用ソフトウェア（例えば、Windows（登録商標）のような汎用ライブラリィ、ドライバを含むOSソフトウェア）、６の汎用ハードウェア（例えば、PC用マザーボードやドライブ装置等の周辺機器）、７の周辺機器固有情報保持部（不揮発性メモリ）、１１の記録タイトル情報保持部（不揮発性メモリ）、１２の記録タイトル保持部（不揮発性メモリ）、１４の表示装置（モニタ）から、２のPC周辺機器は、８の専用ソフトウェア（例えば、デジタル放送受信用ファームウェア）、９の専用ハードウェア（デジタル放送受信用ハードウェア）、１０のコンピュータ固有情報保持部（不揮発性メモリ）、１３の記録タイトル情報保持部（不揮発性メモリ）、１５のアンテナ、１６のチューナ（チューナユニット）、１７のＣＡＳカード（限定受信システム用カード）から、構成されており、１のPCと、２のPC周辺機器は、３の双方向インターフェース（例えば、USB（Universal Serial Bus））で接続されている。
【００３７】
図４は、図２のシステムを限定受信を含むデジタル放送受信及び、録画再生機として構成した場合を示している。構成要素の差異は、１のＰＣに、１４の表示装置とのインターフェースを備えている点、２のＰＣ周辺機器に、１５のアンテナ、１６のチューナ、１７のＣＡＳカードを備えている点である。
【００３８】
図４において、１４の表示装置に６の汎用ハードウェアを介して、デジタル放送受信画像を出力する点、並びに１５のアンテナ、１６のチューナによりデジタル放送波を受信、検波、復号後、その出力を９の専用ハードウェアに入力し、９の専用ハードウェアでデジタル放送波のスクランブル信号の復号の際に１７のＣＡＳカードを用いる点、以外の動作は、図２の実施例の説明と同様であるので、ここでは説明を省略する。
【実施例５】
【００３９】
図５は発明の技術による実施例の形態５である。
図５のコンピュータシステムにおいて、１のPCは、４の専用アプリケーションソフトウェア、５の汎用ソフトウェア、６の汎用ハードウェア、７の周辺機器固有情報保持部、１８の著作権保護出力制御部、１４の表示装置から、２のPC周辺機器は、８の専用ソフトウェア、９の専用ハードウェア、１０のコンピュータ固有情報保持部、１５のアンテナ、１６のチューナ、１７のＣＡＳカードから、構成されており、１のPCと、２のPC周辺機器は、３の双方向インターフェースで接続されている。
【００４０】
図５は、図３のシステムを著作権保護出力を含むデジタル放送受信機として構成した場合を示している。構成要素の差異は、１のＰＣに、１８の著作権保護出力制御部を備えている点である。
【００４１】
図５において、１４の表示装置にデジタル放送受信画像は、１８の著作権保護出力制御部を介して出力されるが、２のPC周辺機器から、３のインターフェース、６の汎用ハードウェア、５の汎用ソフトウェアを介してデジタル放送受信における著作権保護情報を４の専用アプリケーションソフトウェアで取得し、その情報に従い、４の専用アプリケーションソフトウェア、５の汎用ソフトウェア、６の汎用ハードウェアを介して、１８の著作権保護出力制御部を制御する点、以外の動作は、図３の実施例の説明と同様であるので、ここでは説明を省略する。
【００４２】
１８の著作権保護出力制御部を４の専用アプリケーションソフトウェアで制御する仕組みについて以下説明する。５の汎用ソフトウェア、６の汎用ハードウェアとしては、例えば、Windows（登録商標）システムおけるCOPP（Certified Output Protection Protocol）という汎用インターフェースを使用できる。１８の著作権保護出力制御部と１４の表示装置間については、例えば、HDCP（High-bandwidth Digital Content Protection system）用いる事ができる。この場合、４の専用アプリケーションソフトウェアは、デジタル放送受信により得られた著作権情報と、COPPより得られた情報から、信頼された１４の表示装置に対してのみ、デジタル放送受信画像を出力する事や、HDCPの機能を用いた暗号化出力や、テレビジョン信号に対する著作権制御であるCGMS-A（Copy Generation Management System - Analog）やマクロビジョン信号処理が行えるようになる。
【００４３】
図５では、１８の著作権保護出力制御部を独立した処理部で説明したが、６の汎用ハードウェア内に組み込む回路構成としても良い。
【実施例６】
【００４４】
図６は発明の技術による実施例の形態６である。
図６のコンピュータシステムにおいて、１のPCは、４の専用アプリケーションソフトウェア、５の汎用ソフトウェア、６の汎用ハードウェア、７の周辺機器固有情報保持部、１１の記録タイトル情報保持部、１９の暗号処理部、１２の記録タイトル保持部、１８の著作権保護出力処理部、１４の表示装置から、２のPC周辺機器は、８の専用ソフトウェア、９の専用ハードウェア、１０のコンピュータ固有情報保持部、１３の記録タイトル情報保持部、１５のアンテナ、１６のチューナ、１７のＣＡＳカードから、構成されており、１のPCと、２のPC周辺機器は、３の双方向インターフェースで接続されている。
【００４５】
図６は、図４のシステムに、録画再生用の暗号処理部、及び、著作権保護出力処理部を含め、録画再生機として構成した場合を示している。
【００４６】
構成要素の差異は、１９の暗号処理部と、１８の著作権保護出力処理部を備えている点である。デジタル放送番組の受信（視聴）の場合には、図５の実施例と同様の動作を行うものである。
【００４７】
デジタル放送番組の録画の場合には、１のPCは、４の専用アプリケーションソフトウェアにより、５の汎用ソフトウェア、６の汎用ハードウェアを介して、３の双方向インターフェースにアクセスし、２のPC周辺機器に対して、記録タイトル及び、記録タイトル情報を要求し、これに対して、２のPC周辺機器は、８の専用ソフトウェア、９の専用ハードウェアの動作により、要求された情報を３の双方向インターフェースに出力するように動作し、１のPCでは、３の双方向インターフェースを介して得られた情報をそれぞれ、１１の記録タイトル情報保持部１及び、１９の暗号処理部で暗号化した後、１２の記録タイトル保持部に記録すると同時に、２のPC周辺機器内の１３の記録タイトル情報保持部２にも情報を記録する。
【００４８】
デジタル放送番組の再生の場合には、１のPCは、４の専用アプリケーションソフトウェアにより、１１の記録タイトル情報保持部１から記録タイトルの番組情報を取得表示し、再生可能な記録タイトルを表示すると共に、再生する記録タイトルの情報を取得し、対応した記録タイトルを、１２の記録タイトル保持部から取り出し、１９の暗号処理部を復号化した後、再生・表示を行うよう動作するが、この際、３の双方向インターフェースを介して、２のPC周辺機器内の１３の記録タイトル情報保持部２からも情報を取得し、記録タイトル情報の確認動作も合せて行い、正しく記録タイトル情報が合致した場合のみ、再生動作が実行されるようにすると同時に、デジタル放送番組の受信（視聴）の場合と同様に、例えば、COPPやHDCPを利用して、信頼された１４の表示装置に対してのみ、デジタル放送受信画像を出力する事や、HDCPの機能を用いた暗号化出力や、テレビジョン信号に対する著作権制御であるCGMS-Aやマクロビジョン信号処理を行うよう制御する。
【００４９】
上記のデジタル放送番組の記録タイトルの再生の場合、４の専用アプリケーションソフトウェアでは、デジタル放送番組が放送時には、例えば「１世代のみ記録可」（Copy One Generation）であった場合、そのデジタル放送番組を記録後、再生する場合には、「記録不可」（Copy No More）の扱いとして解釈し、１４の表示装置に換えて、記録機器が接続された場合には、１８の著作権保護出力処理部の出力を停止するような制御を行う事が可能である。
【００５０】
図６では、１８の著作権保護出力制御部を独立した処理部で説明したが、６の汎用ハードウェア内に組み込まれた回路構成としても良い。
【００５１】
更に、図６では、１９の暗号処理部を独立した処理部で説明したが、６の汎用ハードウェア内に組み込む回路構成や、５の汎用ソフトウェア又は、４の専用アプリケーションソフトウェアで実装する構成としても良い。
【００５２】
また、図１、図２、図３、図４、図５又は、図６の実施例において、２のPC周辺機器の中の、１０のコンピュータ固有情報保持部の参照データエリアを固定サイズにする、又は、１０のコンピュータ固有情報保持部に書き換え回数を記録するエリアを設ける事で、２のPC周辺機器における総ペアリング回数に制限を設けるようにし、総ペアリング回数を越えてペアリングの解除動作を行わないようにする事で、最後のペアリング情報を保持し続けるようにしても良い。
【００５３】
このペアリング処理の際、ユーザに対して、現在の相互認証回数、又は、残りの相互認証回数を提示するような４の専用アプリケーションソフトウェアを用いても良い。これにより、PC及び、PC周辺機器で構成されたデジタル放送受信機の不正利用を抑制する効果が期待できる。
【００５４】
更に、  図１、図２、図３、図４、図５又は、図６の実施例において、４の専用アプリケーションソフトウェアの削除の際、１のPCの、７の周辺情報固有情報保持部、及び、２のPC周辺機器の中の、１０のコンピュータ固有情報保持部のそれぞれの参照データを、削除する４の専用アプリケーションソフトウェアの削除手段と、削除しない４の専用アプリケーションソフトウェアの削除手段を設けても良い。
【００５５】
これにより、４の専用アプリケーションソフトウェアそのものの再組込みや、バージョンアップ等の際には、ペアリングの解除処理が行われないようにする事が可能な為、４の専用アプリケーションソフトウェアそのものの再組込みや、バージョンアップ等の際に相互認証回数が増える（相互認証残回数回数が減る）事を抑制する事ができる。
【００５６】
加えて、上記の実施例において、１のPCの、７の周辺情報固有情報保持部、及び、２のPC周辺機器の中の、１０のコンピュータ固有情報保持部のそれぞれの参照データが正しく削除された場合であり、１のPCと、２のPC周辺機器が、３の双方向インターフェースで正しく接続された状態で、４の専用アプリケーションソフトウェアの組込み時、又は、４の専用アプリケーションソフトウェアの初回起動（実行）時にのみ、１のPCの、７の周辺情報固有情報保持部、及び、２のPC周辺機器の中の、１０のコンピュータ固有情報保持部のそれぞれ、７に周辺情報固有情報、１０にコンピュータ固有情報を記録するようにし、自動的にペアリング動作が実行されるようにしても良い。
【００５７】
これにより、ユーザは、PC及び、PC周辺機器のペアリング動作自体について意識せずに機器を利用する事ができ、ペアリング動作そのものを秘匿化する効果がある。
【００５８】
特に、ペアリング動作そのものを秘匿化する必要がない場合には、ペアリング解除の為の専用プログラムを別途実行させるようにしても良い。
【００５９】
また、図３、図４、図５又は、図６の実施例において、１７のＣＡＳカード（限定受信システム用カード）を用いているが、ＣＡＳカードを用いず同様の機能を実現する限定受信システム持つ２のＰＣ周辺機器に対して、本発明を適用しても良い。
【００６０】
上記の図１、図２、図３、図４、図５又は、図６の実施例において、１のＰＣを、一般的なコンピュータ（例えば、パーソナルコンピュータ）として、コンピュータシステムの例で説明したが、家電製品や専用機器のような、専用ソフトウェア及び、専用ハードウェアから構成される機器において、２のＰＣ周辺機器と同様な機能を持つ機器と組み合わせる場合に、本発明の技術を適用しても良い。
【図面の簡単な説明】
【００６１】
【図１】本発明の技術による実施の形態１を示す構成図である。
【図２】本発明の技術による実施の形態２を示す構成図である。
【図３】本発明の技術による実施の形態３を示す構成図である。
【図４】本発明の技術による実施の形態４を示す構成図である。
【図５】本発明の技術による実施の形態５を示す構成図である。
【図６】本発明の技術による実施の形態６を示す構成図である。
【符号の説明】
【００６２】
１…ＰＣ、２…ＰＣ周辺機器、３…双方向インターフェース、４…専用アプリケーション、５…汎用ソフトウェア、６…汎用ハードウェア、７…周辺機器固有情報保持部、８…専用ソフトウェア、９…専用ハードウェア、１０…コンピュータ固有情報保持部、１１…記録タイトル情報保持部１、１２…記録タイトル保持部、１３…記録タイトル情報保持部２、１４…表示装置、１５…アンテナ、１６…チューナ、１７…ＣＡＳカード、１８…著作権保護出力処理部、１９…暗号処理部
【図１】
2008225713.tif 000003
【図２】
2008225713.tif 000004
【図３】
2008225713.tif 000005
【図４】
2008225713.tif 000006
【図５】
2008225713.tif 000007
【図６】
2008225713.tif 000008